(57)【特許請求の範囲】
【請求項１】
複数本のパイプと、前記パイプに外挿される２以上の軸受部を設けたジョイントパネルとを有し、前記ジョイントパネルが前記パイプを軸に回動し、全体を伸長させた閉鎖状態と、全体を折り畳んだ収納状態とを形成するパイプカーテンであって、
同一の前記パイプを軸に相対的に回動する２つの前記ジョイントパネルの回動範囲を制限する反転防止部材を備え、
前記反転防止部材は、一対の環状本体を有し、
各環状本体は、前記軸受部への固定部と、前記パイプの挿通孔とをそれぞれ有し、
一方の前記環状本体には凸部、他方の前記環状本体には円弧状の凹溝を形成し、
２つの前記ジョイントパネルの互いの前記軸受部に各環状本体をそれぞれ固定し、前記凸部と前記凹溝とを互いに遊嵌させることにより、２つの前記ジョイントパネルの相対的な回動範囲を前記凹溝の範囲内に制限したことを特徴とするパイプカーテン。
【請求項２】
前記ジョイントパネルの両端の各軸受部に、前記反転防止部材を互いに逆回転するように固定したことを特徴とする請求項１記載のパイプカーテン。
【請求項３】
前記ジョイントパネルの両端の各軸受部に、前記反転防止部材を互いに逆回転するように固定するとともに、全ての前記反転防止部材どうしを交互に逆回転するように配置したことを特徴とする請求項１又は２記載のパイプカーテン。
【請求項４】
前記凸部を約９０°の円弧状とするとともに、前記凹部を約２７０°の円弧状とし、２つの前記ジョイントパネルの相対的な回動範囲を約１８０°としたことを特徴とする請求項１〜３いずれか記載のパイプカーテン。
【請求項５】
前記ジョイントパネルが少なくとも３つの前記軸受部を有し、中央の前記軸受部に挿入された前記パイプをガイドレールに沿って移動可能としたことを特徴とする請求項１〜４いずれか記載のパイプカーテン。
【発明の詳細な説明】
【技術分野】
【０００１】
本発明は、店舗、施設又は住宅などの出入口、通路、窓等に設置する折畳式のパイプカーテンに関し、特に、パイプを拘束するジョイントパネルの回動範囲及び回動方向を制御して開閉時のばたつきを防止し、スムーズに開閉させることを可能としたパイプカーテンに関する。
【背景技術】
【０００２】
パイプカーテンは、閉店後も展示商品が良く見え、店舗の美観や開放感を損なうことなくセキュリティ確保が可能であり、また、開閉操作が軽くて静かというメリットもあり、現在、店舗、施設又は住宅等に広く普及しつつある。従来のパイプカーテンとして、例えば、特開２００５−３０１８０号公報（引用文献１）で提案されているようなものがある。以下、従来のパイプカーテンについて図７〜図９を参照して説明する。
【０００３】
図７は従来のパイプカーテンの閉鎖状態を示す正面図である。図８は従来のパイプカーテンの収納状態を示す側面図である。図９は従来のパイプカーテンの開閉動作を示す概略平面図である。
【０００４】
図７及び図８において、従来のパイプカーテン１００は、主として、複数本のパイプ１１０，１１０，１１０…を、ジョイントパネル１２０によって回動自在に連結した構成となっている。ジョイントパネル１２０は、三本のパイプ１１０，１１０，１１０の上段、中段、下段の位置に外挿してある。説明の便宜上、ジョイントパネル１２０に拘束された三本のパイプうちの中央をセンターパイプ１１０Ｂといい、その両側をサイドパイプ１１０Ａという。
【０００５】
各センターパイプ１１０Ｂの上端には、それぞれ滑車１３０，１３０，１３０…が取り付けてあり、各滑車１３０が、天井面Ｓに設けられたガイドレール１４０に沿って滑動可能となっている。また、パイプカーテン１００全体は、各滑車１３０を介してガイドレール１４０に懸吊されている。
【０００６】
ここで、三本のパイプ１１０Ａ，１１０Ｂ，１１０Ａのうち、一方のサイドパイプ１１０Ａの上端には振れ止め防止ローラ１５０，１５０，１５０…が取り付けてあり、ガイドレール１４０のケース１４１には、振れ止め防止ローラ１５０のみに当接する一条の案内板１４２が設けてある。これら振れ止め防止ローラ１５０と案内板１４２とは、センターパイプ１１０Ｂを中心軸とするジョイントパネル１２０の意図しない方向への回動を制限するためのものである。
【０００７】
図９に示すように、ジョイントパネル１２０は、センターパイプ１１０Ｂを中心軸に３６０°回動自在となっているが、パイプカーテン１００を閉鎖状態にしたときに、振れ止め防止ローラ１５０と案内板１４２とが互いに当接し、ジョイントパネル１２０が案内板１４２を超えて回動しないようにしてある。
【０００８】
この構成により、パイプカーテン１００を折り畳んで収納状態にする際に、各ジョイントパネル１２０が、各センターパイプ１１０Ｂを中心軸に交互に逆回転してジグザグ状に変形し、各パイプ１１０の上下の撓みや左右のずれ（いわゆる、ばたつき）が防止され、パイプカーテン１００の収納動作がスムーズとなる。
【特許文献１】特開２００５−３０１８０号公報
【発明の開示】
【発明が解決しようとする課題】
【０００９】
ところが、上述した従来のパイプカーテン１００では、ガイドレール１４０の全長にわたる長尺の案内板１４２に、多数の振れ止め防止ローラ１５０を当接させる構成となっていたので、長尺の案内板１４２が、パイプカーテン１００の閉鎖又は収納状態を問わず常に外部に露呈しまい、却って店舗等の美観を損なってしまうという問題があった。特に、案内板１４２は、店舗等の天井面Ｓよりも下方に配置しなければ機能しないので、必ず天井面Ｓに沿って露呈してしまい、天井面Ｓの上方に隠して設けることができなかった。
【００１０】
また、パイプカーテン１００を閉鎖状態にする過程で、多数の振れ止め防止ローラ１５０が金属製の案内板１４２に当接し、耳障りな騒音を発生させるという問題もあった。さらに、振れ止め防止ローラ１５０を、一対のサイドパイプ１１０Ａ，１１０Ａの一方だけに設けた構成となっていたので、パイプカーテン１００を閉鎖状態としたときに、振れ止め防止ローラ１５０を有するサイドパイプ１１０Ａと、有しないサイドパイプ１１０Ａとが交互に並び、閉鎖状態のパイプカーテン１００の外観がアンバランスになってしまうという問題もあった。
【００１１】
本発明は上記問題点に鑑みてなされたものであり、極めて簡単かつ外観上目立たない小さな構成によって、パイプを拘束するジョイントパネルの回動範囲及び回動方向を制御することができ、開閉時におけるばたつきや騒音の発生を防止し、静かでスムーズな開閉操作を可能としたパイプカーテンの提供を目的とする。
【課題を解決するための手段】
【００１２】
上記目的を達成するために、本発明のパイプカーテンは、複数本のパイプと、前記パイプに外挿される２以上の軸受部を設けたジョイントパネルとを有し、前記ジョイントパネルが前記パイプを軸に回動し、全体を伸長させた閉鎖状態と、全体を折り畳んだ収納状態とを形成するパイプカーテンであって、同一の前記パイプを軸に相対的に回動する２つの前記ジョイントパネルの回動範囲を制限する反転防止部材を備え、前記反転防止部材は、一対の環状本体を有し、各環状本体は、前記軸受部への固定部と、前記パイプの挿通孔とをそれぞれ有し、一方の前記環状本体には凸部、他方の前記環状本体には円弧状の凹溝を形成し、２つの前記ジョイントパネルの互いの前記軸受部に各環状本体をそれぞれ固定し、前記凸部と前記凹溝とを互いに遊嵌させることにより、２つの前記ジョイントパネルの相対的な回動範囲を前記凹溝の範囲内に制限した構成としてある。
【００１３】
上記構成からなる本発明のパイプカーテンによれば、反転防止部材を極めて簡単かつ外観上目立たない小さな構成とすることができ、このような反転防止部材によって、２つのジョイントパネルを連動させ、これらジョイントパネルの回動範囲及び回動方向を制御することが可能となる。すなわち、各ジョイントパネルの回動を反転防止部材の円弧状の凹溝の範囲内に制限することができるとともに、円弧状の凹溝の向きによって、各ジョイントパネルの開閉時における回動方向を制御することが可能となる。これにより、開閉時におけるばたつきや騒音の発生を防止し、静かでスムーズな開閉操作を実現することができる。
【００１４】
好ましくは、前記ジョイントパネルの両端の各軸受部に、前記反転防止部材を互いに逆回転するように固定した構成とする。より好ましくは、前記ジョイントパネルの両端の各軸受部に、前記反転防止部材を互いに逆回転するように固定するとともに、全ての前記反転防止部材どうしを交互に逆回転するように配置した構成とする。
【００１５】
このような構成によれば、反転防止部材を介して複数のジョイントパネルを連動させることができ、これらジョイントパネルを予め定められた範囲内で交互に逆方向に回動させることが可能となる。これにより、ジグザグ状の変形を伴うパイプカーテンの開閉動作を、各ジョイントパネルの軸受部ごとに精密に制御することができ、開閉時におけるばたつきや騒音の発生を確実に防止して、静かでスムーズな開閉操作が可能となる。
【００１６】
好ましくは、前記凸部を約９０°の円弧状とするとともに、前記凹部を約２７０°の円弧状とし、２つの前記ジョイントパネルの相対的な回動範囲を約１８０°とした構成とする。
【００１７】
このような構成によれば、反転防止部材を介して連動する２つのジョイントパネルの回動範囲がそれぞれ約９０°となり、パイプカーテンの開閉動作に必要な回動範囲を確保することができる。そして、各ジョイントパネルの回動限界（０°又は１８０°）をパイプカーテンの閉鎖状態に設定した場合は、閉鎖状態を超える各ジョイントパネルの回動を制限することができ、また、閉鎖状態から収納状態にするときの各ジョイントパネルの意図しない方向への回動を制限することが可能となる。
【００１８】
好ましくは、前記ジョイントパネルが少なくとも３つの前記軸受部を有し、中央の前記軸受部に挿入された前記パイプをガイドレールに沿って移動可能とした構成とする。
【００１９】
このような構成によれば、ジョイントパネルが、中央の軸受部に挿入されたパイプを中心軸に回動可能となり、一端又は両端の軸受部に固定した反転防止部材によって連動する各ジョイントパネルの回動範囲及び回動方向を制御することができる。
【発明の効果】
【００２０】
本発明のパイプカーテンによれば、極めて簡単かつ外観上目立たない小さな構成の反転防止部材によって、パイプを拘束するジョイントパネルの回動範囲及び回動方向を制御することができ、開閉時におけるばたつきや騒音の発生を防止し、静かでスムーズな開閉操作が可能となる。
【発明を実施するための最良の形態】
【００２１】
以下、本発明の実施形態に係るパイプカーテンについて、図面を参照しつつ説明する。
【００２２】
［パイプカーテン全体の構成］
まず、本実施形態に係るパイプカーテン全体の構成について、図１〜図３を参照しつつ説明する。図１は本発明の実施形態に係るパイプカーテンの閉鎖状態を示す正面図である。図２は本パイプカーテンの収納状態を示す側面図である。図３は本パイプカーテンの反転防止部材の周辺を示す分解斜視図である。
【００２３】
図１及び図２において、パイプカーテン１は、複数本のパイプ１０，１０，１０…を、ジョイントパネル２０によって回動自在に連結した構成となっている。図３に示すように、ジョイントパネル２０には、中央と両端とに合計３つの軸受部２１，２１，２１が等間隔で設けてあり、各軸受部２１を三本のパイプ１０，１０，１０に外挿して、これらパイプ１０を回動自在に拘束している。
【００２４】
以下の説明において、ジョイントパネル２０に拘束された三本のパイプ１０，１０，１０うちの中央をセンターパイプ１０Ｂといい、その両端をサイドパイプ１０Ａ，１０Ａという。また、これらを総称してパイプ１０という場合もある。
【００２５】
なお、本実施形態では、各ジョイントパネル２０を、各パイプ１０の上段、中段、下段の位置に設けてあるが、これに限定されるものではなく、パイプ１０の長さに応じて中段のジョイントパネル２０を省略又は追加してもよい。
【００２６】
各センターパイプ１０Ｂの上端には、それぞれ一対の滑車３０，３０が取り付けてあり、各滑車３０が、天井面Ｓ１に設けたガイドレール４０に沿って滑動可能となっている。また、パイプカーテン１全体は、各滑車３０を介してガイドレール４０に懸吊されている。さらに、各センターパイプ１０Ｂの下端には、それぞれローラ６２が取り付けてあり、床面Ｓ２に埋設したガイド溝６１に沿って滑動可能となっている。
【００２７】
このような構成によって、各ジョイントパネル２０がセンターパイプ１０Ｂを中心軸に全体が回動自在となり、また、２つジョイントパネル２０が同一のサイドパイプ１０Ａを軸にして相対的に回動可能となり、パイプカーテン１全体を伸長させた閉鎖状態（図１及び図５（ａ）参照）と、全体を折り畳んだ収納状態（図２及び図５（ｂ）参照）とを形成することが可能となる。
【００２８】
ここで、本実施形態に用いているパイプ１０について詳述する。図３に示すように、各パイプ１０は、アルミなどの軽量な金属パイプ１１に、彩色プラスチックなどで形成した装飾用のカバーパイプ１２，１２を外挿した構成となっている。そして、金属パイプ１１の上端及び下端には、この金属パイプ１１に外挿したカバーパイプ１２、ジョイントパネル２０及び後述する反転防止部材５０といった各種部品の脱落を防止するための端部カバー１３，１３が取り付けてある。
【００２９】
なお、図示しないが、図１に示すパイプカーテン１の一端側は、ガイドレール４０の一端側に位置する図示しない壁部（壁部に設けた図示しない框）に回動自在に固定してあり、他端側は、ガイドレール４０に沿って移動可能な框７０（図５（ａ），（ｂ）参照）に回動自在に取り付けてある。框７０には、例えば、図示しないフランス落としなどの施錠手段が設けてあり、パイプカーテン１を閉鎖状態で施錠可能となっている。また、パイプカーテン１の形態としては、ガイドレール４０の一端から他端を単一のパイプカーテン１で閉鎖する片開型、又はガイドレール４０の一端から他端を２つのパイプカーテン１，１で閉鎖する両開型のいずれとすることも可能である。
【００３０】
［反転防止部材］
次に、本パイプカーテン１に設けた反転防止部材５０の構成について、図１〜図５を参照しつつ説明する。図４は上記反転防止部材を構成する２つ環状本体を示す平面図ないし底面図であり、同図（ａ）は両環状本体の固定部、同図（ｂ）は一方の環状本体の凸部、同図（ｃ）は他方の環状本体の凹溝、同図（ｄ）は両環状本体の凸部と凹溝との遊嵌状態を示すものである。図５（ａ），（ｂ）は本パイプカーテンの開閉動作を示す概略平面図である。
【００３１】
図１及び図２において、同一のサイドパイプ１０Ａを軸に相対的に回動する２つのジョイントパネル２０，２０のうち、上段に設けられたジョイントパネル２０，２０の軸受部２１、２１の相互間には、それぞれ反転防止部材５０，５０，５０…が介設してある。各反転防止部材５０は、同一のサイドパイプ１０Ａを軸に相対的に回動する２つのジョイントパネル２０，２０の回動範囲及び回動方向を制御するためのものである。
【００３２】
図３において、反転防止部材５０は、プラスチック製の一対の環状本体５０Ａ，５０Ｂからなっている。これら環状本体５０Ａ，５０Ｂの一面には、軸受部２１の外形に対応する略円形段差状の固定部５１が形成してあり、その中心部には、金属パイプ１１の挿通孔５２が設けてある。
【００３３】
図４（ａ）に示すように、環状本体５０Ａ，５０Ｂの固定部５１の円周の一部には、ジョイントパネル２０の板厚と同じ幅の切欠部５１ａが形成してある。また、固定部５１の円周の内側には、互いに対向する一対の係止突起５１ｂ，５１ｂが突設してある。一方、ジョイントパネル２０の軸受部２１の下端又は上端には、各係止突起５１ｂに対応する一対の係止溝２２，２２が形成してある。
【００３４】
環状本体５０Ａ，５０Ｂの固定部５１を、ジョイントパネル２０の軸受部２１に外挿すると、固定部５１の切欠部５１ａが、ジョイントパネル２０の板厚に嵌合するとともに、固定部５１の各係止突起５１ｂが、軸受部２１の各係止溝２２に係止して、環状本体５０Ａ，５０Ｂ自体の回転が防止される。
【００３５】
一方、環状本体５０Ａの他面には、図４（ｂ）に示すような円弧状の凸部５３が突設してある。また、環状本体５０Ｂの他面には、図４（ｃ）に示すような円弧状の凹溝５４が形成してある。これら凸部５３と凹溝５４とは互いに遊嵌可能となっており、本実施形態では、凸部５３を９０°の円弧状、凹溝５４を２７０°の円弧状としてある。
【００３６】
図４（ｄ）に示すように、２７０°の凹溝５４に、９０°の凸部５３（図中の斜線部を参照）を遊嵌させると、凹溝５４の残り１８０°の範囲で、環状本体５０Ａ，５０Ｂが相対的に回動可能となる。これにより、環状本体５０Ａ，５０Ｂを外挿した２つのジョイントパネル２０，２０の相対的な回動範囲が１８０°に制限され、これら２つのジョイントパネル２０，２０の回動範囲がそれぞれ９０°となり、パイプカーテン１の開閉動作に必要な回動範囲を確保している。
【００３７】
また、図５（ａ）に示すように、同一構成の反転防止部材５０は、ジョイントパネル２０の両端の軸受部２１，２１に対称的に固定され、互いに逆回転するようになる。本実施形態では、上段の全てのジョイントパネル２０の両端の各軸受部２１に、同一構成の反転防止部材５０をそれぞれ固定しているので、全ての反転防止部材５０，５０，５０…どうしが交互に逆回転するようになっている。
【００３８】
さらに、図５（ａ）に示すように、反転防止部材５０の回動限界（０°又は１８０°＝凸部５３と凹部５４の互いの端部が当接するところ）をパイプカーテン１の閉鎖状態に設定してある。これにより、閉鎖状態を超える各ジョイントパネル２０の回動を制限することができるとともに、閉鎖状態から収納状態（図５（ｂ）参照）にするときの各ジョイントパネル２０の意図しない方向への回動を制限することが可能となる。
【００３９】
このような反転防止部材５０は、強度、弾性率、耐衝撃性に優れたエンジニアリングプラスチックで成型することが好ましく、特に、摺動特性に優れているポリアセタール（ポリプラスチック社の商品名「ジュラコン」）を用いることがより好ましい。
【００４０】
［パイプカーテンの開閉動作］
次に、本パイプカーテン１の開閉動作について、図５（ａ），（ｂ）を参照しつつ説明する。なお、これら図面において、説明の便宜上、サイドパイプ１０Ａを「白抜きの円」で示すとともに、ガイドレール４０に沿って移動するセンターパイプＢを「黒塗りの円」で示す。また、反転防止部材５０（環状本体５０Ａ）の凸部５３と、この凸部５３とともに回動するジョイントパネル２０とを共に「斜線」で示す。同様に、反転防止部材５０（環状本体５０Ｂ）の凹溝５４と、この凹溝５４とともに回動するジョイントパネル２０とを共に「白抜き」で示す。
【００４１】
まず、図５（ａ）に示す閉鎖状態おいて、パイプカーテン１の他端に回動自在に取り付けた框７０を、図中の矢印（１）の方向へ押すと、この力が各ジョイントパネル２０に順に伝達する。
【００４２】
力を受けた各ジョイントパネル２０は、それぞれセンターパイプ１０Ｂを中心軸として全体的に回動しようとするが、その両端に設けた各反転防止部材５０の凸部５３と凹溝５４との当接により、回動方向が交互に一方向又は他方向のいずれかに制限される。この結果、力を受けた各ジョイントパネル２０は、凹溝５４に沿って凸部５３の移動が許容される図中の矢印（２），（３），（４），（５），（６）…の方向へ交互に逆回転する。
【００４３】
そして、図５（ｂ）に示すように、各ジョイントパネル２０の全体がセンターパイプ１０Ｂを中心軸として交互に９０°近くまで逆回転するとともに、サイドパイプ１０Ａを軸とする２つのジョイントパネル２０が互いに９０°近くまで逆回転し、パイプカーテン１がジグザグ状に折り畳まれる。
【００４４】
その後、各反転防止部材５０の凸部５３と凹溝５４とが再び当接したところ、又は各ジョイントパネル２０が互いに当接したところで、パイプカーテン１が完全に折り畳まれた収納状態となる。本実施形態では、各反転防止部材５０の回動範囲を１８０°に設定し、各ジョイントパネル２０を最大９０°まで回動可能としたが、実際は９０°回動する手前で各ジョイントパネル２０どうしが当接してパイプカーテン１が収納状態となる。
【００４５】
なお、各反転防止部材５０の回動範囲を１８０°以下に設定して、各ジョイントパネル２０どうしが当接する手前で、各反転防止部材５０の凸部５３と凹溝５４とが再び当接してパイプカーテン１が収納状態となる構成としてもよい。
【００４６】
［本パイプカーテンの作用効果］
以上説明したように、本実施形態に係るパイプカーテン１によれば、反転防止部材５０を極めて簡単かつ外観上目立たない小さな構成とすることができ、このような反転防止部材５０によって、２つのジョイントパネル２０，２０を連動させ、これらジョイントパネル２０，２０の回動範囲及び回動方向を制御することが可能となる。すなわち、各ジョイントパネル２０の回動を反転防止部材５０の円弧状の凹溝５４の範囲内に制限することができるとともに、円弧状の凹溝５４の向きによって、各ジョイントパネル２０の開閉時における回動方向を制御することが可能となる。これにより、開閉時におけるばたつきや騒音の発生を防止し、静かでスムーズな開閉操作を実現することができる。
【００４７】
また、上段の全てのジョイントパネル２０の両端の各軸受部２１に設けたことにより、これらジョイントパネル２０を予め定められた範囲内で交互に逆方向に回動させることが可能となる。これにより、ジグザグ状の変形を伴うパイプカーテン１の開閉動作を、各ジョイントパネル２０の軸受部２１ごとに精密に制御することができ、開閉時におけるばたつきや騒音の発生を確実に防止して、静かでスムーズな開閉操作が可能となる。
【００４８】
さらに、図７に示す案内板１４２と振れ止め防止ローラ１５０とを用いた従来の大掛かりな反転防止手段を省略することが可能となり、パイプカーテン１の構成のみならず外観までもシンプルなものとすることができる。
［その他の変更］
【００４９】
なお、本発明のパイプカーテンは、上述した実施形態に限定されるものではない。例えば、上記実施形態では、上段のジョイントパネル２０の軸受部２１のみに反転防止部材５０を設けた構成としたが、パイプカーテン１の高さ寸法（パイプ１０の全長）によっては、図６に示すように、上段、中段、下段のジョイントパネル２０の軸受部２１に反転防止部材５０を設ける場合もある。これにより、大型のパイプカーテン１の開閉動作をスムーズにすることができる。
【００５０】
また、上記実施形態では、上段の全部のジョイントパネル２０の両端の各軸受部２１に反転防止部材５０設けた構成としたが、これに限らず、上段の一部のジョイントパネル２０の軸受部２１、あるいは中段又は下段いずれかのジョイントパネル２０の全部又は一部の軸受部２１に反転防止部材５０を設けた構成としてもよい。
【００５１】
また、反転防止部材５０の凸部５３及び凹溝５４の角度も、図４（ｂ），（ｃ）の９０°及び２７０°に限らず、様々な角度の凸部５３及び凹溝５４を組み合わせて、ジョイントパネル２０の回動範囲や回動方向を制御することが可能である。また、凸部５３を円弧状ではなく、例えば、断面四角形又は円形などの単なる突起とすることも可能である。
【図面の簡単な説明】
【００５２】
【図１】本発明の実施形態に係るパイプカーテンの閉鎖状態を示す正面図である。
【図２】本パイプカーテンの収納状態を示す側面図である。
【図３】本パイプカーテンの反転防止部材の周辺を示す分解斜視図である。
【図４】上記反転防止部材を構成する２つ環状本体を示す平面図ないし底面図であり、同図（ａ）は両環状本体の固定部、同図（ｂ）は一方の環状本体の凸部、同図（ｃ）は他方の環状本体の凹溝、同図（ｄ）は両環状本体の凸部と凹溝との遊嵌状態を示すものである。
【図５】同図（ａ），（ｂ）は本パイプカーテンの開閉動作を示す概略平面図である。
【図６】本パイプカーテンの変更例を示す閉鎖状態の正面図である。
【図７】従来のパイプカーテンの閉鎖状態を示す正面図である。
【図８】従来のパイプカーテンの収納状態を示す側面図である。
【図９】従来のパイプカーテンの開閉動作を示す概略平面図である。
【符号の説明】
【００５３】
１  パイプカーテン
１０  パイプ
１０Ａ  サイドパイプ
１０Ｂ  センターパイプ
１１  金属パイプ
１２  カバーパイプ
１３  装飾カバー
２０  ジョイントパネル
２１  軸受部
２２  係止溝
３０  滑車
４０  ガイドレール
５０  反転防止部材
５０Ａ，５０Ｂ  環状本体
５１  固定部
５１ａ  嵌合溝
５１ｂ  係止突起
５２  挿通孔
５３  凸部
５４  凹溝
６１  ガイド溝
６２  ローラ
７０  框
【図１】
0005624262.tif 000002
【図２】
0005624262.tif 000003
【図３】
0005624262.tif 000004
【図４】
0005624262.tif 000005
【図５】
0005624262.tif 000006
【図６】
0005624262.tif 000007
【図７】
0005624262.tif 000008
【図８】
0005624262.tif 000009
【図９】
0005624262.tif 000010